(57)【要約】【課題】  遊技盤を射出成形する際に表面欠陥を防止する。【解決手段】  この遊技盤１は、前面板４０と、前面板４０の背面に積層される基板３０とが含まれる積層構造で、前面板４０と基板３０との接合は、前面板４０を金型内にインサートして基板３０となる合成樹脂を金型内に射出するインサート成形によってなされるので、射出された合成樹脂（基板３０となる合成樹脂）がインサートされている前面板４０と密着する。このため、基板３０にはウエルド等の表面欠陥がほとんど生じない。また、希に生じたとしても、前面板４０がこれを覆い隠してしまうので、遊技盤１の表面に欠陥が発現することはない。【選択図】  図２
2006230748.tif 000002
【特許請求の範囲】
【請求項１】
弾球遊技機の遊技盤において、
該遊技盤を、前面の一部が遊技領域とされる前面板と、該前面板の背面に積層される基板とが含まれる積層構造として、
前記前面板と基板とは、前記前面板を金型内にインサートして前記基板となる合成樹脂を前記金型内に射出するインサート成形によって一体化されている
ことを特徴とする遊技盤。
【請求項２】
請求項１記載の遊技盤において、
前記前面板は印刷によって着色されていることを特徴とする遊技盤。
【請求項３】
請求項１又は２記載の遊技盤において、
該遊技盤は、前記前面板と、前記基板と、該基板の背面に積層される背面板との３層構造であり、
前記前面板及び背面板と前記基板とは、前記前面板と前記背面板とを対面状に金型内にインサートして前記前面板と前記背面板との間に形成されるキャビティに前記基板となる合成樹脂を射出するインサート成形によって一体化されている
ことを特徴とする遊技盤。
【請求項４】
請求項３記載の遊技盤において、
前記背面板は印刷によって着色されていることを特徴とする遊技盤。
【発明の詳細な説明】
【技術分野】
【０００１】
本発明は、弾球遊技機の技術分野に属し、詳しくは弾球遊技機に装着される遊技盤に関する。
【背景技術】
【０００２】
弾球遊技機の遊技盤は、合板製が主流であるが、これを合成樹脂製にすることがある。例えば特開平１１−９９２４４号公報（特許文献１）には、射出成形による遊技盤が開示されている。また、特開平１０−１７９８５４号公報（特許文献２）には、透光性の合成樹脂で製造された遊技盤が開示されている。
【特許文献１】特開平１１−９９２４４号公報
【特許文献２】特開平１０−１７９８５４号公報
【発明の開示】
【発明が解決しようとする課題】
【０００３】
ところで、遊技盤の表面（少なくとも遊技領域になる部分）は平坦であることが要求されるが、射出成形ではウエルド、ヒケ等の欠陥を排除することが困難であった。特に、透明（透光性）の合成樹脂にて射出成形した遊技盤の背後に表示装置や光源を配置する場合には、ウエルドのような表面欠陥は致命的であった。
【課題を解決するための手段】
【０００４】
請求項１記載の遊技盤は、弾球遊技機の遊技盤において、
該遊技盤を、前面の一部が遊技領域とされる前面板と、該前面板の背面に積層される基板とが含まれる積層構造として、
前記前面板と基板とは、前記前面板を金型内にインサートして前記基板となる合成樹脂を前記金型内に射出するインサート成形によって一体化されていることを特徴とする。
【０００５】
この遊技盤は、前面板と、前面板の背面に積層される基板とが含まれる積層構造とされる。また、前面板と基板との接合は、前面板を金型内にインサートして基板となる合成樹脂を金型内に射出するインサート成形によってなされる。
【０００６】
インサート成形するので、射出された合成樹脂（基板となる合成樹脂）がインサートされている前面板と密着する。このため、ウエルド等の表面欠陥がほとんど生じない。また、希に生じたとしても、前面板がこれを覆い隠してしまうので、遊技盤の表面に欠陥が発現することはない。
【０００７】
前面板は、その前面の一部が遊技領域とされるが、本発明の目的からして、遊技領域の実質的に全域が前面板に含まれる（遊技領域は前面板からはみ出さない）のが望ましい。
なお、遊技領域とされる部分は平坦であることを要求されるが、それ以外の部分、例えばガイドレールの外側になる部分は凹凸があっても構わないので、その部分では前面板に凹凸を設けておいてもよい。
【０００８】
前面板は、例えばポリカーボネート、ポリエチレンテレフタレート、アクリル等の合成樹脂製とされる。
その板厚に特段の限定はないが、少なくとも０．４ｍｍ以上、好ましくは１．０ｍｍ以上で、３．０ｍｍ以下、好ましくは２．０ｍｍ以下である。
【０００９】
まず板厚の下限については、これが薄すぎるとインサート作業が行い難くなるし、金型内で形状（姿勢）を維持するのも困難になる。従って、少なくとも０．４ｍｍ、好ましくは１．０ｍｍ以上である。
【００１０】
また、上限はインサート成形を採用したことに伴う制約である。
インサート成形するので、基板は入賞装置等の取付穴のように基板を貫通する穴や遊技盤を弾球遊技機に取り付けるために必要となる外周の切欠等を欠落させた形態で成形できる。
【００１１】
一方、前面板は、例えば押し出し成形されたシートを用いるので、上述の穴や切欠等になる部分を打ち抜き等で加工する必要がある（そうした、加工済みの板材をインサートする。）。従って、板厚の上限は打ち抜き等の加工を良好に行い得るか否かによって自ずと定まる。但し、この加工性の問題は合成樹脂の種類によって異なるので一律ではない。しかしながら、一般的には、打ち抜き等の加工を良好に行い得る板厚は３．０ｍｍ以下、好ましくは２．０ｍｍ以下であるから、前面板の板厚はこの範囲を上限とするのが望ましい。
【００１２】
勿論、ドリル等の切削加工を行えば、更に板厚が大きくても構わないが、その場合は、厚肉（例えば８ｍｍ以上）の１枚の合成樹脂板に切削加工を施して遊技盤とすればよく、前面板と基板とが含まれる積層構造を採用する意味（切削による資材の浪費を避けて、加工コストも低減する等）が無くなる。
【００１３】
前面板には、請求項２記載のように、印刷によって着色することができる。また、印刷以外の手法、例えば蒸着、スパッタリング等で着色したり、ハーフミラー状にしたりできる。
【００１４】
これら印刷などによる着色は、前面板の全域でもよいし、部分的（例えば中央部は透明のままにして、その背後に表示装置の画面を配置する。）でもよい。
また、上述のガイドレールの外側になる部分等において前面板に凹凸を設けて、その凹凸と重なるように透光性の印刷を施して、これを電飾のレンズとすることもできる。言うまでもないが、平坦な部分を同様に電飾のレンズにすることもできる。
【００１５】
前面板に印刷する場合、基板側になる裏面に印刷しても、前面に印刷しても、どちらでもよい。
また、遊技盤は、請求項３記載のように、前面板、基板及び基板の背面に積層される背面板の３層構造にすることもできる。この場合、前面板と背面板とを対面状に金型内にインサートして前面板と背面板との間に形成されるキャビティに基板となる合成樹脂を射出して、前面板及び背面板と基板とを一体化する。
【００１６】
そして、請求項４に記載のように、背面板にも印刷によって着色することができる。
【発明を実施するための最良の形態】
【００１７】
次に、本発明の実施例等により発明の実施の形態を説明する。なお、本発明は下記の実施例等に限定されるものではなく、本発明の要旨を逸脱しない範囲でさまざまに実施できることは言うまでもない。
［実施例１］
本実施例の遊技盤１はパチンコ機用であり、図１に示す外観形状をしている。
【００１８】
この遊技盤１にはガイドレール２ａ、２ｂ、２ｃが取り付けられており、それらで囲まれた略円形の区画内が遊技領域３とされる。なお、図示は省略したが、ガイドレール２ａ、２ｂ間の切れ目部分には返しゴムが、ガイドレール２ｂ、２ｃ間の切れ目部分にはアウト穴４用のガイド板金が装着されて、それらの切れ目は閉じられる。
【００１９】
遊技領域３の中央部には、リブ状の表示輪郭１０が設けられており、その背後には表示装置（例えば液晶表示装置）２０が配されて、その表示（図中、「８８８」で示す。）が遊技盤１を通して表示輪郭１０の内側に見える。
【００２０】
なお、表示装置２０の画面サイズは表示輪郭１０に合わせる必要はなく、例えば遊技領域３に対応するサイズ、遊技盤１の輪郭に対応するサイズといった大型にできる。そうした場合、表示輪郭１０の外でも表示が行われ、これが遊技盤１を通して見える。
【００２１】
表示輪郭１０の下方にはゲート７が配されている。ゲート７の下方には電動チューリップ式の可変入賞装置８が配され、その下方にはアタッカー式の大入賞装置９（図示は大入賞口９ａが開放された状態）が配されている。
【００２２】
表示輪郭１０の横には、ランプ風車１１及び普通入賞口１２がそれぞれ左右で対をなして配されている。また、普通入賞口１２の下方には、サイド飾り１３と一体化された普通入賞口１４、１５がそれぞれ左右で対をなして配されている（但し、説明の都合上、左のサイド飾り１３は撤去した状態を図示してある。）。
【００２３】
そして、遊技領域３の最下部には、遊技領域３を通過してきた遊技球をアウト球として排出するためのアウト穴４が設けられている。
なお、遊技領域３には周知の障害釘や風車も配されているが、これらの図示と説明は省略する。
【００２４】
遊技盤部品であるゲート７、可変入賞装置８、大入賞装置９、ランプ風車１１、普通入賞口１２及びサイド飾り１３を遊技盤１に装着するには、遊技盤１に設けられた装着孔１ａを必要とする。図１には左のサイド飾り１３のための装着孔１ａを図示してあるが、装着孔１ａの形状（輪郭）は各遊技盤部品に応じて異なる。但し、遊技盤１を貫通している点は全ての装着孔１ａに共通している。
【００２５】
遊技盤１の断面構造は図２（断面構造を明瞭に示すために寸法関係は実際とは異なっている。）に示す通りであり、遊技盤１は基板３０と前面板４０とで構成されている。なお、前面板４０の表面（その一部）が遊技領域３とされる。
【００２６】
基板３０は透明な合成樹脂（本実施例ではポリカーボネート）製で、板厚は約６ｍｍである。
前面板４０はポリエチレンテレフタレートの板厚１ｍｍのシートであり、透明であるが、その裏面には印刷によるが着色がなされている。但し、着色部分は前面板４０の全域にわたっているわけでなく、図１にハッチングで示した部分が着色域であり、遊技領域３になる略円形の部分は透明のままである。
【００２７】
また、前面板４０には装着孔１ａよりもわずかに大きい打ち抜き穴４１が設けられており、遊技領域３の外側になる部分には凸部４２も設けられている。なお、図示は省略したが、遊技釘や風車のための穴も装着孔１ａ及び打ち抜き穴４１と同様に設けられている。
【００２８】
この遊技盤１は、前面板４０に打ち抜き穴４１等を開け、凸部４２を例えば真空圧空成形によって設けてから、これを成形金型にインサートして、その金型内に基板３０となる合成樹脂（ポリカーボネート）を射出することによる、インサート成形で作られている。
【００２９】
この遊技盤１は、前面板４０と、前面板４０の背面に積層される基板３０とが含まれる積層構造で、前面板４０と基板３０との接合は、前面板４０を金型内にインサートして基板３０となる合成樹脂を金型内に射出するインサート成形によってなされるので、射出された合成樹脂（基板３０となる合成樹脂）がインサートされている前面板４０と密着する。このため、基板３０にはウエルド等の表面欠陥がほとんど生じない。また、希に生じたとしても、前面板４０がこれを覆い隠してしまうので、遊技盤１の表面に欠陥が発現することはない。
［実施例２］
図３（断面構造を明瞭に示すために寸法関係は実際とは異なっている。）に示すように、遊技盤１を基板３０、前面板４０及び背面板５０の３層構造にすることができる。
【００３０】
基板３０及び前面板４０は実施例１と同様である。なお、前面板４０の表面（その一部）が遊技領域３とされる。
背面板５０は、前面板４０と同様に装着孔１ａよりもわずかに大きい打ち抜き穴５１が設けられているが、遊技釘や風車のための穴は（遊技盤１を貫通しないので）設けられていない。
【００３１】
この遊技盤１は、前面板４０に打ち抜き穴４１等を開け（必要により凸部４２を等も設けて）、背面板５０にも打ち抜き穴５１を開けてから、これらを成形金型にインサートして、前面板４０と背面板５０の間に基板３０用のキャビティを形成し、そのキャビティ内に基板３０となる合成樹脂（ポリカーボネート）を射出することによる、インサート成形で作られている。
【００３２】
この遊技盤１は、前面板４０、基板３０及び背面板５０の積層構造で、前面板４０及び背面板５０と基板３０との接合は、前面板４０及び背面板５０を金型内にインサートして基板３０となる合成樹脂を金型内に射出するインサート成形によってなされるので、射出された合成樹脂（基板３０となる合成樹脂）がインサートされている前面板４０及び背面板５０と密着する。このため、基板３０にはウエルド等の表面欠陥がほとんど生じない。また、希に生じたとしても、前面板４０、背面板５０がこれを覆い隠してしまうので、遊技盤１の表面に欠陥が発現することはない。
【００３３】
なお、実施例１と同じ部分については説明を省略する。
［その他］
遊技盤１（前面板４０、基板３０、背面板５０）を透明にしているが、前面板４０、基板３０、背面板５０のいずれか、または全部を不透明な合成樹脂製にすることもできる。
【図面の簡単な説明】
【００３４】
【図１】実施例の遊技盤の正面図。
【図２】実施例１の遊技盤の断面構造の説明図。
【図３】実施例２の遊技盤の断面構造の説明図。
【符号の説明】
【００３５】
１・・・遊技盤、
１ａ・・・装着孔、
３・・・遊技領域、
７・・・ゲート、
８・・・可変入賞装置、
９・・・大入賞装置、
９ａ・・・大入賞口、
１０・・・表示輪郭、
１１・・・ランプ風車、
１２・・・普通入賞口、
１３・・・サイド飾り、
１４・・・普通入賞口、
２０・・・表示装置、
３０・・・基板、
４０・・・前面板、
４２・・・凸部、
５０・・・背面板。
【図１】
2006230748.tif 000003
【図２】
2006230748.tif 000004
【図３】
2006230748.tif 000005